【手続補正書】
【提出日】平成22年10月22日(2010.10.22)
【手続補正１】
【補正対象書類名】明細書
【補正対象項目名】００７１
【補正方法】変更
【補正の内容】
【００７１】
上述の説明から当業者には明らかなように、本発明をその趣旨または範囲から外れることなく実行する際に多くの代替および変更が可能である。
《補遺》
＜構成１＞
ドナー要素を基板から除去する方法において、当該方法は、
剥離ローラと前記基板とを、前記剥離ローラが前記ドナー要素の第１の部分であって前記ドナー要素の端部から空間を空けて離れている第１の部分の近傍に移動するように、相対的に移動させ、
巻取りローラと前記基板とを、前記巻取りローラが前記ドナー要素の端部の近傍に移動するように相対的に移動し、前記巻取りローラが前記端部の近傍にある場合に、前記端部を含む前記ドナー要素の第２の部分を前記巻取りローラに固定し、
前記剥離ローラを第１の部分の近傍に維持しながら、
前記巻取りローラと前記基板とを、前記巻取りローラとこれに固定された前記ドナー要素の前記第２の部分とが前記基板から離れる方向に移動するように相対的に移動させ、
前記ドナー要素の少なくとも実質的な部分を前記基板から剥離するために、前記基板と前記剥離ローラとを、前記基板に正接する方向へ相対的に移動しながら、前記巻取りローラをその軸の周りで回転させる、
ことを含む方法。
＜構成２＞
前記ドナー要素の前記第１の部分の近傍とは、前記第１の部分の近傍に位置する場合に前記剥離ローラが前記第１の部分を前記基板に接触した状態で維持するほど十分に前記ドナー要素に近いことである、構成１に記載の方法。
＜構成３＞
前記ドナー要素の前記第１の部分の近傍とは、前記ドナー要素の前記第１の部分とが接触することを含む、構成１に記載の方法。
＜構成４＞
前記基板と前記剥離ローラとを相対的に移動しながら、前記巻取りローラをその軸の周りで回転させることは、前記基板と、前記剥離ローラおよび前記巻取りローラの両方とを、前記基板に正接する方向に同時に相対的に移動することを含む、構成１に記載の方法。
＜構成５＞
前記ドナー要素を前記基板から除去する装置と同じ装置において、ドナー材料を前記ドナー要素から前記基板に画像の通りに転写することによって前記基板に画像形成すること、を含む構成１に記載の方法。
＜構成６＞
前記基板は実質的に平面である画像テーブル上に置かれ、
前記基板に正接する方向とは、前記画像テーブルの表面に実質的に平行な方向を含む、構成５に記載の方法。
＜構成７＞
前記基板は画像ドラムの円筒面の上に置かれ、
前記基板に正接する方向とは、前記画像ドラムの前記円筒面に実質的に正接する方向を含む、構成５に記載の方法。
＜構成８＞
前記巻取りローラと前記剥離ローラとを支持するシャーシを設け、
前記巻取りローラと前記基板とを、前記巻取りローラとこれに固定された前記ドナー要素の前記第２の部分とを前記基板から離れる方向に移動するように相対的に移動することは、前記巻取りローラを前記シャーシに対して移動させることを含む、構成４に記載の方法。
＜構成９＞
前記巻取りローラを前記シャーシに対して移動させることは、前記剥離ローラの軸を中心にした曲線の半径を有するパスに沿って前記巻取りローラを移動させることを含む、構成８に記載の方法。
＜構成１０＞
前記基板と前記剥離ローラおよび前記巻取りローラの両方とを同時に相対的に移動することは、前記基板と前記シャーシとを相対的に移動することを含む、構成８に記載の方法。
＜構成１１＞
前記巻取りローラと前記基板とを、前記巻取りローラを前記ドナー要素の端部の近傍に移動するように相対的に移動することは、前記巻取りローラを前記シャーシに対して移動することを含む、構成８に記載の方法。
＜構成１２＞
前記巻取りローラを前記シャーシに対して移動することは、前記剥離ローラの軸を中心にした曲線の半径を有するパスに沿って前記巻取りローラを移動することを含む、構成１１に記載の方法。
＜構成１３＞
前記ドナー要素の前記第１の部分の近傍とは、前記ドナー要素の前記第１の部分とが接触することを含む、構成４に記載の方法。  
＜構成１４＞
前記基板と前記剥離ローラおよび巻取りローラの両方とを同時に相対的に移動しながら前記巻取りローラをその軸の周りで回転させることは、前記剥離ローラをその軸の周りで回転させることを含む、構成１３に記載の方法。  
＜構成１５＞
前記剥離ローラはアイドラローラである、構成１４に記載の方法。
＜構成１６＞
前記剥離ローラは駆動型ローラである、構成１４に記載の方法。  
＜構成１７＞
前記ドナー要素の前記第２の部分を前記巻取りローラに固定することは、前記巻取りローラの円筒面の上の１又は複数の吸引部によって吸引を行うことを含む、構成１３に記載の方法。
＜構成１８＞
前記巻取りローラをその軸の周りで回転させるために連結された巻取りローラ回転アクチュエータを設けることを含み、
巻取りローラと前記基板とを、前記巻取りローラを前記ドナー要素の前記端部の近傍に移動するように相対的に移動することは、前記１又は複数の吸引部の少なくとも１つが前記ドナー要素の前記第２の部分の近傍に位置するように前記巻取りローラ回転アクチュエータを位置モードにおいて制御可能に移動することを含む、構成１７に記載の方法。
＜構成１９＞
前記ドナー要素の前記第２の部分を前記巻取りローラに固定することは、
前記ドナー要素の前記第２の部分を前記巻取りローラにクランプし、
前記巻取りローラの円筒面の上の１又は複数の吸引部によって吸引し、
前記ドナー要素の前記第２の部分と前記巻取りローラとの間に静電気による誘引力を生じ、
前記ドナー要素の前記第２の部分と前記巻取りローラとの間に磁気的誘引力を生じ、
前記ドナー要素の前記第２の部分と前記巻取りローラとの間に接着物を設ける、ことの少なくとも１つを含む、構成１に記載の方法。
＜構成２０＞
前記基板と前記剥離ローラおよび巻取りローラの両方とを同時に相対的に移動しながら前記巻取りローラをその軸の周りで回転させることは、前記剥離ローラと前記巻取りローラとの間に位置する前記ドナー要素の第３の部分における所望の張力をトラッキングするためにトルクモードにおいて前記巻取りローラ回転アクチュエータを制御可能に移動することを含む、構成１８に記載の方法。
＜構成２１＞
前記基板と前記剥離ローラおよび巻取りローラとの両方を同時に相対的に移動しながら前記巻取りローラをその軸の周りで回転させることは、前記巻取りローラ回転アクチュエータを位置モードにおいて制御可能に移動することを含み、前記位置モードは、前記基板と前記剥離ローラおよび前記巻取りローラの両方との間における相対的な移動と同期する、構成１８に記載の方法。
＜構成２２＞
前記巻取りローラと前記基板とを、前記巻取りローラとこれに固定された前記ドナー要素の前記第２の部分とを前記基板から離れる方向に移動するように相対的に移動することで前記ドナー要素が前記基板から除去される剥離角度をなし、前記剥離角度は３０度未満である、構成１３に記載の方法。
＜構成２３＞
ドナー材料を前記ドナー要素から前記基板に画像に関して転写する間、前記ドナー要素は前記基板に、前記基板の端部から空間をあけて離れた第１の位置に設けられたドナー要素固定手段によって固定され、
前記剥離ローラと前記基板とを、前記巻取りローラを前記ドナー要素の前記端部の近傍に移動するように相対的に移動することは、前記巻取りローラを第２の位置に移動することを含み、前記第２の位置は前記基板の前記端部から前記第１の位置よりも空間をあけて離れている、構成５に記載の方法。
＜構成２４＞
前記剥離ローラと前記基板とを、前記巻取りローラを前記ドナー要素の前記端部の近傍に移動するように相対的に移動することは、前記剥離ローラと前記ドナー要素の非画像領域とを接触させることを含む、構成４に記載の方法。  
＜構成２５＞
前記巻取りローラと前記基板とを、前記巻取りローラを前記ドナー要素の前記端部の近傍に移動するように相対的に移動することは、前記巻取りローラと前記ドナー要素の非画像領域とを、前記ドナー要素の画像領域から、前記剥離ローラが前記ドナー要素に接触する位置よりも空間をあけて離れた位置において接触させることを含む、構成２４に記載の方法。
＜構成２６＞
前記ドナー要素が、前記基板の端部から空間をあけて離れた１又複数のスタンドによって支持され、
前記巻取りローラと前記基板とを、前記巻取りローラを前記ドナー要素の前記端部の近傍に移動するように相対的に移動することは、前記巻取りローラと前記ドナー要素の非画像領域とを、前記１又は複数のスタンドの少なくとも１つの位置において接触させることを含む、構成２５に記載の方法。  
＜構成２７＞
前記基板の前記端部と前記１又は複数のスタンドとの間において吸引を行い、
前記巻取りローラと前記基板とを、前記巻取りローラとこれに固定された前記ドナー要素の前記第２の部分とを前記基板から離れる方向に移動するように相対的に移動しながら、前記基板の前記端部と前記１又は複数のスタンドとの間に設けられた前記吸引を減らすことを含む、構成２６に記載の方法。
＜構成２８＞
ドナー要素を基板から除去する装置であって、当該装置は、
剥離ローラと、
巻き込みローラであって、前記ドナー要素の端部を含む前記ドナー要素の第１の部分を前記巻き込みローラに固定する固定機構を含む巻取りローラと、
前記剥離ローラおよび前記巻取りローラを、前記剥離ローラが自身に対して回転可能であって前記巻取りローラが自身に対して移動可能および回転可能であるように、支持するシャーシと、
コントローラと、
を有し、前記コントローラは、
前記シャーシと前記基板とを、前記剥離ローラが前記ドナー要素の第２の部分の近傍の位置に前記シャーシを移動するように相対的に移動させ、前記第２の部分は前記ドナー要素の前記端部から空間を置いて離れており、
前記巻取りローラと前記基板とを、前記巻取りローラを前記ドナー要素の第１の部分の近傍に移動するように相対的に移動させ、前記巻取りローラが前記第１の部分の近傍にある場合に前記固定機構を起動させて前記第１の部分を前記巻取りローラに固定するようにし、
前記剥離ローラを前記ドナー要素の前記第２の部分の近傍に維持しながら、前記巻取りローラと前記基板とを、前記巻取りローラとこれに固定された前記ドナー要素の第１の部分とが前記基板から離れる方向に移動するように相対的に移動させ、前記ドナー要素の少なくとも実質的な部分を前記基板から剥離するために、前記基板と前記剥離ローラとを、前記基板に正接する方向に相対的に移動させながら、前記巻取りローラをその軸の周りで回転させる、
ように構成されている、装置。
＜構成２９＞
前記ドナー要素の前記第２の部分の近傍とは、前記第２の部分の近傍に位置する場合に前記剥離ローラが前記第２の部分を前記基板に接触した状態に維持するほど十分に前記ドナー要素に近いことである、構成２８に記載の装置。
＜構成３０＞
前記ドナー要素の前記第２の部分の近傍とは、前記ドナー要素の前記第２の部分とが接触することを含む、構成２８に記載の装置。
＜構成３１＞
前記コントローラは、前記基板と前記剥離ローラおよび前記巻取りローラの両方とを、前記ドナー要素の少なくとも実質的な部分を前記基板から剥離するために、前記基板に正接する方向に同時に相対的に移動しながら、前記巻取りローラをその軸の周りで回転させるように構成されている、構成２８に記載の装置。
＜構成３２＞
前記装置は、前記ドナー材料が前記ドナー要素から前記基板に画像に関して転写される画像装置、の一部を形成する、構成２８に記載の装置。
＜構成３３＞
前記基板は実質的に平面である画像テーブルの上に置かれ、
前記基板に正接する方向とは、前記画像テーブルの表面に実質的に平行である方向を含む、構成３２に記載の装置。
＜構成３４＞
前記基板は画像ドラム上の円筒面上に置かれ、
前記基板に正接する方向とは、前記画像ドラムの前記円筒面に実質的に正接する方向を含む、構成３２に記載の装置。
＜構成３５＞
前記ドナー要素の前記第２の部分の近傍とは、前記ドナー要素の前記第２の部分との接触を含む、構成３１に記載の装置。  
＜構成３６＞
前記剥離ローラはアイドラローラである、構成３５に記載の装置。
＜構成３７＞
前記剥離ローラは駆動型ローラである、構成３５に記載の装置。  
＜構成３８＞
前記固定機構は、前記巻取りローラの円筒面の上の１又は複数の吸引部を含み、前記吸引部は吸入源に接続されている、構成３５に記載の装置。
＜構成３９＞
前記巻取りローラをその軸の周りで駆動可能に回転させるために連結された巻取りローラ回転アクチュエータを含む、構成３５に記載の装置。
＜構成４０＞
前記巻取りローラが前記ドナー要素の第１の部分の近傍に移動する場合、前記コントローラは、前記固定機構が前記ドナー要素の前記第２の部分の近傍に位置するように、前記巻取りローラ回転アクチュエータを位置モードにおいて制御可能に移動させるように構成されている、構成３９に記載の装置。  
＜構成４１＞
前記基板と前記剥離ローラおよび前記巻取りローラの両方とが相対的に移動しながら前記巻取りローラがその軸の周りを回転する場合、前記コントローラは、前記剥離ローラと前記巻取りローラとの間に位置する前記ドナー要素の第３の部分における所望の張力をトラッキングするために前記巻取りローラ回転アクチュエータをトルクモードにおいて制御可能に移動させるように構成されている、構成３９に記載の装置。
＜構成４２＞
前記基板と前記剥離ローラおよび前記巻取りローラの両方とが相対的に移動しながら前記巻取りローラがその軸の周りを回転する場合、前記コントローラは、前記巻取りローラ回転アクチュエータを位置モードにおいて制御可能に移動させるように構成され、前記位置モードは前記基板と前記剥離ローラおよび前記巻取りローラの両方との相対的な移動に同期する、構成３９に記載の装置。
＜構成４３＞
前記巻取りローラを前記シャーシに対して移動するために連結された巻取りローラ軸位置アクチュエータを含む、構成３５に記載の装置。
＜構成４４＞
前記巻取りローラ軸位置アクチュエータは、前記剥離ローラの軸を中心とする湾曲の半径を有するパスに沿って前記巻取りローラを移動するために連結された、構成４３に記載の装置。
＜構成４５＞
前記巻取りローラとこれに固定された前記ドナー要素の前記第１の部分とが前記基板から離れる方向に移動する場合、前記コントローラは、前記ドナー要素が前記基板から除去される剥離角度を確定するように前記巻取りローラ軸位置アクチュエータを位置モードにおいて制御可能に移動させるように構成されている、構成４３に記載の装置。
＜構成４６＞
前記剥離角度は５度〜３０度の範囲である、構成４５に記載の装置。
＜構成４７＞
前記巻取りローラ軸位置アクチュエータは、前記剥離ローラの軸を中心とする湾曲の半径を有するパスに沿って前記巻取りローラを移動するために連結されている、構成４５に記載の装置。
＜構成４８＞
前記シャーシと前記基板とを相対的に移動するための１又は複数のシャーシ位置アクチュエータを含む、構成３５に記載の装置。
＜構成４９＞
前記シャーシが、前記剥離ローラが前記ドナー要素の前記第２の部分の近傍にある位置に移動する場合、前記コントローラは、前記１又は複数のシャーシ位置アクチュエータの少なくとも１つを位置モードにおいて制御可能に移動させるように構成されている、構成４８に記載の装置。
＜構成５０＞
前記基板と前記剥離ローラおよび前記巻取りローラの両方とを、前記基板に正接する方向に相対的に移動する場合、前記コントローラは前記１又は複数のシャーシ位置アクチュエータの少なくとも１つを位置モードにおいて移動させる、構成４８に記載の装置。
＜構成５１＞
ドナー材料を前記ドナー要素から前記基板に画像通りに転写する間、前記基板の端部から空間をあけて離れた第１の位置に設けられたドナー要素固定手段によって前記ドナー要素は前記基板に固定され、
前記巻取りローラが前記ドナー要素の前記端部の近傍に移動する場合、前記巻取りローラは第２の位置に移動し、ここで前記第２の位置は前記基板の前記端部から、前記第１の位置よりも空間をあけて離れている、構成３２に記載の装置。
＜構成５２＞
前記剥離ローラが前記ドナー要素の前記第２の部分の近傍にある位置に前記シャーシを移動するように前記コントローラが前記シャーシと前記基板とを相対的に移動させる場合、前記コントローラは、前記剥離ローラと前記ドナー要素の非画像領域とを接触させるように構成された、構成３１に記載の装置。
＜構成５３＞
前記ドナー要素の前記第１の部分の近傍に前記巻取りローラを移動するように前記コントローラが前記巻取りローラと前記基板とを相対的に移動する場合、前記コントローラは、前記ドナー要素の画像位置から、前記剥離ローラが前記ドナー要素に接触する位置より空間を空けて離れた位置において前記巻取りローラと前記ドナー要素の非画像領域とを接触させるように構成されている、構成５２に記載の装置。  
＜構成５４＞
前記基板の端部から空間をあけて離れた１又は複数のスタンドによって前記ドナー要素が支持され、前記巻取りローラが前記ドナー要素の前記第１の部分の近傍に移動するように前記コントローラが前記巻取りローラと前記基板とを相対的に移動させる場合、前記コントローラは、前記巻取りローラと前記ドナー要素の非画像領域とが前記１又は複数のスタンドの少なくとも１つの場所で接触するように構成されている、構成５３に記載の装置。
＜構成５５＞
前記基板の前記端部と前記１又は複数のスタンドとの間を吸引し、
前記コントローラは、前記巻取りローラとこれに固定された前記ドナー要素の第１の部分とが前記基板から離れる方向に移動するように前記巻取りローラと前記基板とを相対的に移動させながら、前記基板の前記端部と前記１又は複数のスタンドとの間の吸引を減らすように構成された、構成５４に記載の装置。
＜構成５６＞
ドナー要素を基板から除去する方法において、当該方法は、
剥離ローラを、前記ドナー要素の第１の部分であって前記ドナー要素の一端から空間をあけて離れている第１の部分に接触するように移動し、
前記ドナー要素の第２の部分であって前記ドナー要素の前記端部を含む第２の部分を固定機構において固定し、
前記基板に正接する平面に対して所望の剥離角度で前記ドナー要素の前記第２の部分に所望の張力をかけ、
前記剥離ローラを前記ドナー要素の前記第２の部分に接触させたまま、前記ドナー要素の少なくとも一部を前記基板から剥離するために前記固定機構と前記剥離ローラとを移動し、前記所望の張力をトラッキングして前記所望の剥取り角度をトラッキングする、方法。
＜構成５７＞
前記ドナー要素の前記第２の部分を固定機構において固定することは、前記固定機構を前記ドナー要素の前記端部の近傍に移動することを含む、構成５６に記載の方法。  
＜構成５８＞
前記所望の剥離角度で前記ドナー要素の前記第２の部分に前記所望の張力をかけることは、前記固定機構を前記基板から離れる方向に移動することを含む、構成５６に記載の装置。
＜構成５９＞
前記ドナー要素の前記第２の部分を前記固定機構において固定することは、前記固定機構から前記前記ドナー要素の前記第２の部分へ吸引を行うこと含む、構成５８に記載の装置。
＜構成６０＞
前記固定機構は巻取りローラを含む、構成５８に記載の装置。
＜構成６１＞
前記ドナー要素を前記基板から剥離するために前記固定機構と前記剥離ローラとを移動することは、前記基板と前記剥離ローラおよび前記巻取りローラの両方とを、前記基板に正接する方向に同時に相対的に移動しながら、前記巻取りローラをその軸の周りにおいて回転させること含む、構成６０に記載の方法。
＜構成６２＞
ドナー要素を基板から除去する装置において、当該装置は、
剥離ローラと、
前記ドナー要素の第１の部分を固定する固定機構であって、前記第１の部分は前記ドナー要素の端部を含む固定機構と、
前記剥離ローラと前記固定機構とを支持する可動シャーシであって、前記剥離ローラが前記シャーシに対して回転可能であり、前記巻取りローラが前記シャーシに対して移動可能であるように支持する可動シャーシと、
コントローラと、
を有し、前記コントローラは、
前記剥離ローラが、前記ドナー要素の前記第２の部分であって前記ドナー要素の前記端部から空間を空けて離れている第２の要素に接触する位置に前記シャーシを移動し、
前記固定機構が前記ドナー要素の前記第１の部分を固定できる位置に前記固定機構を移動し、前記基板に正接する平面に対して所望の隔離角度で前記ドナー要素の前記第１の部分における所望の張力をかけるために、前記固定機構とこれに固定された前記ドナー要素の第１の部分とを移動し、
前記剥離ローラを前記ドナー要素の第１の部分に接触させたまま、前記ドナー要素を前記基板から剥離するために前記固定機構と前記剥離ローラとを移動させ、前記所望の張力をトラッキングして前記所望の剥取り角度をトラッキングする、
ように構成されている装置。
＜構成６３＞
前記固定機構は１又は複数の吸引部を有する、構成６２に記載の装置。
＜構成６４＞
前記固定機構は巻取りローラを有する、構成６２に記載の装置。
【手続補正２】
【補正対象書類名】特許請求の範囲
【補正対象項目名】全文
【補正方法】変更
【補正の内容】
【特許請求の範囲】
【請求項１】
ドナー要素を基板から除去する方法において、当該方法は、
剥離ローラと前記基板とを、前記剥離ローラが前記ドナー要素の第１の部分であって前記ドナー要素の端部から空間を空けて離れている第１の部分の近傍に移動するように、相対的に移動させ、
巻取りローラと前記基板とを、前記巻取りローラが前記ドナー要素の端部の近傍に移動するように相対的に移動し、前記巻取りローラが前記端部の近傍にある場合に、前記端部を含む前記ドナー要素の第２の部分を前記巻取りローラに固定し、
前記剥離ローラを第１の部分の近傍に維持しながら、
前記巻取りローラと前記基板とを、前記巻取りローラとこれに固定された前記ドナー要素の前記第２の部分とが前記基板から離れる方向に移動するように相対的に移動させ、
前記ドナー要素の少なくとも実質的な部分を前記基板から剥離するために、前記基板と前記剥離ローラとを、前記基板に正接する方向へ相対的に移動しながら、前記巻取りローラをその軸の周りで回転させる、
ことを含む方法。
【請求項２】
前記ドナー要素の前記第１の部分の近傍とは、前記第１の部分の近傍に位置する場合に前記剥離ローラが前記第１の部分を前記基板に接触した状態で維持するほど十分に前記ドナー要素に近いことである、請求項１に記載の方法。
【請求項３】
前記ドナー要素の前記第１の部分の近傍とは、前記ドナー要素の前記第１の部分とが接触することを含む、請求項１に記載の方法。